(57)【要約】【課題】プラズマの軸方向観測又は横方向観測を行う場合に、軸方向観測にあってはバックグラウンドの上昇を防ぎ、横方向観測にあっては十分な光量を得て、安定したICP発光分析を可能にする【解決手段】軸方向観測の場合は、分光部１の入口スリットにピンホール型スリット１３を用いて分析を行うことにより、プラズマ発生方向の中心軸近傍の光をピンホールの領域に限定して、分光部へ導入することができ、バックグラウンドの導入を防止することができる。一方、横方向観測の場合は、直線型スリット１４に切り換え、プラズマ発生方向の中心軸に対して直交する方向から、直線状に設けられたスリットの領域における中心軸近傍の光を分光部へ導入する。直線型スリット１４の方が、ピンホール型スリット１３と比べて、多くのプラズマ光を分光部１へ導入することができ、横方向観測の精度があがる。【選択図】図１
2010243348.tif 000002
【特許請求の範囲】
【請求項１】
プラズマトーチと分光部の入口スリット間の光路にプラズマの軸方向観察の第１光路と横方向観察の第２光路を有するＩＣＰ発光分析装置において、
前記入口スリットとして使用するピンホール形状の第１スリットと、
前記入口スリットとして使用する直線形状の第２スリットと、
前記第１スリットと前記第２スリットを切り換える切換手段とを備えることを特徴とするＩＣＰ発光分析装置。
【請求項２】
プラズマの軸方向観察を行う場合は前記入口スリットを前記第１スリットに切り換え、プラズマの横方向観察を行う場合は前記入口スリットを前記第２スリットに切り換える制御手段を備えることを特徴とする請求項１に記載されたＩＣＰ発光分析装置。
【請求項３】
前記制御手段は、前記入口スリットに前記第２スリットを用いてプラズマの横方向観測を行う際に分光干渉が生じた場合、前記入口スリットを前記第２スリットから前記第１スリットへ切り換える制御も可能なことを特徴とする請求項２に記載されたＩＣＰ発光分析装置。
【請求項４】
プラズマトーチと分光部の入口スリット間の光路にプラズマの軸方向観察の第１光路と横方向観察の第２光路を有するＩＣＰ発光分析装置を用いて行うＩＣＰ発光分析方法において、
プラズマの軸方向観察を行う場合は前記入口スリットにピンホール形状の第１スリットを使用してＩＣＰ発光分析を行い、
プラズマの横方向観察を行う場合は前記入口スリットに直線形状の第２スリットを使用してＩＣＰ発光分析を行うことを特徴とするＩＣＰ発光分析方法。
【請求項５】
前記入口スリットに前記第２スリットを用いてプラズマの横方向観測を行う際に分光干渉が生じた場合、前記入口スリットを前記第２スリットから前記第１スリットへ切り換えてＩＣＰ発光分析を行うことを特徴とする請求項４に記載されたＩＣＰ発光分析方法。
【発明の詳細な説明】
【技術分野】
【０００１】
本発明は、プラズマの軸方向観測及び横方向観測の双方を行うことが可能なＩＣＰ発光分析装置及びＩＣＰ発光分析方法に関する。
【背景技術】
【０００２】
ＩＣＰ発光分析には、プラズマトーチから試料等が噴出する方向であるプラズマの軸方向の光を分光部に導入して分析を行う軸方向観測と、それに対して垂直な方向からの光を分光部に導入して分析を行う横方向観測とがある。プラズマ化した試料は、プラズマトーチから発生した無極放電プラズマの内部において、軸方向に延びた形状で分布する。そのため、横方向観測は試料のプラズマ光の一部のみを分析することになるため、感度はそれほど高くない。しかし、自己吸収現象や共存物質の影響が小さいため、正確な測定を行うことができる。一方、軸方向観測は、共存物質の影響や自己吸収現象の影響により正確性に劣るが、より多くのプラズマ光を分光部に導入することができるため、高い感度で測定を行うことができる。
【０００３】
このように、軸方向観測及び横方向観測にはそれぞれに長所及び短所があるため、どちらの観測を行うかは、試料の種類や濃度、分析の目的に応じて決定がなされる。具体的には、試料中の濃度が低い場合には、感度が高いことが必要になるが、共存物質の影響は無視できるため、プラズマの軸方向から光を分光部に取り入れることが行われる。一方、試料中の濃度が高い場合には感度は不要になるが、正確さが求められるため、プラズマの横方向から光を分光部に取り入れることが行われている。
【０００４】
そのため軸方向観測と、横方向観測とを比較的簡易に切り換えることが可能な機構を備えたＩＣＰ発光分析装置が従来知られており、一般に利用されている。このような装置の一例として、特許文献１に記載の技術がある。
【０００５】
ここで、従来の一般的なＩＣＰ発光分析装置の例を説明する。ＩＣＰ発光分析装置の基本的構成は、周囲に誘導コイルが巻き付けられたプラズマトーチ、軸方向光導入部、横方向光導入部、そして分光部から成る。横方向光導入部の内部には、プラズマの横方向観測と軸方向観測とを切り換えるための光路切換装置が設置されている。プラズマトーチのプラズマと分光部の入口スリットとを結ぶ光路の切り換えは可動式ミラーを用いることにより行い、ミラーの角度を適宜変化させることにより、プラズマから発せられるプラズマ光を軸方向から観測するか又は横方向から観測するかを択一的に切り換えることができる。
【０００６】
軸方向観測時には、オリフィスを含む軸方向光導入口から導入されたプラズマ光が、適宜ミラーによって進行方向を変えつつ、分光部に導入される。このとき、プラズマ光は軸
方向観測光路を形成する。
【０００７】
横方向観測時には、横方向光導入口から導入されたプラズマ光が、適宜ミラーによって進行方向を変えつつ分光部に導入される。このとき、プラズマ光は横方向観測光路を形成する。
【先行技術文献】
【特許文献】
【０００８】
【特許文献１】特開２００３‐３４４２９２号公報
【発明の概要】
【発明が解決しようとする課題】
【０００９】
ここで、分光部の入口スリットに使われるスリットは、大きく分類すると、ピンホール型スリット（以下、「ピンホール型スリット」という。）と、直線型スリット（以下、「直線型スリット」という。）の２種類の形状のスリットがあるが、何れの形状のスリットを用いるかは、分光部の種類に依存する。例えば、エシェル型分光器の場合は、ピンホール型スリットを使用し、ツェルニ・ターナー(Czerney Turner)型分光器を使用した場合は、直線型スリットを使用する。
【００１０】
しかし、ピンホール型スリットは、軸方向観測の場合に、プラズマ発生方向の中心軸近傍の光を分光部へ導入するためには適するが、横方向観測の場合には、プラズマ発生方向の中心軸に対して直交する方向から、中心軸近傍のある部分についての光を導入するに止まるため、十分な光を導入することができず、得られた信号がノイズに埋もれてしまう場合がある。
【００１１】
一方、直線型スリットは、横方向観測の場合は、十分な光を導入できるメリットがあるが、軸方向観測をした場合に、バックグラウンド部分の光を多く取り込んでしまい、十分な感度が得られない。
【００１２】
よって、いずれの形状のスリットも一長一短であり、軸方向観測の場合は、プラズマ発生方向の中心軸近傍の光を分光部へ導入すればよいため、ピンホール型スリットを用いることが望ましいが、横方向観測の場合は、プラズマ発生方向の中心軸に対して直交する方向から、中心軸近傍のある部分についての光を導入するため、十分な光を得るためには直線形状の入口スリットを用いることが望ましい。
【００１３】
しかし、従来の発光分析装置においては、入口スリットの形状は、分光部の種類に依存しており、プラズマの観察方向に適したスリット形状の選択は行われていない。そこで、本発明においては、プラズマの観測方向に合わせて、観測方向に適応した形状のスリットに切り換えて使用するICP発光分析装置及びＩＣＰ発光分析方法を提供することを目的とする。
【課題を解決するための手段】
【００１４】
前記課題を解決するためになされた第１の発明は、プラズマトーチと分光部の入口スリット間の光路にプラズマの軸方向観察の第１光路と横方向観察の第２光路を有するＩＣＰ発光分析装置において、前記入口スリットとして使用するピンホール形状の第１スリットと、前記入口スリットとして使用する直線形状の第２スリットと、前記第１スリットと前記第２スリットを切り換える切換手段とを備えることを特徴とするＩＣＰ発光分析装置である。
【００１５】
前記課題を解決するためになされた第２の発明は、第１の発明において、プラズマの軸方向観察を行う場合は前記入口スリットを前記第１スリットに切り換え、プラズマの横方向観察を行う場合は前記入口スリットを前記第２スリットに切り換える制御手段を備えることを特徴とするＩＣＰ発光分析装置である。
【００１６】
前記課題を解決するためになされた第３の発明は、第２の発明において、前記制御手段は、前記入口スリットに前記第２スリットを用いてプラズマの横方向観測を行う際に分光干渉が生じた場合、前記入口スリットを前記第２スリットから前記第１スリットへ切り換える制御も可能なことを特徴とするＩＣＰ発光分析装置である。
【００１７】
前記課題を解決するためになされた第４の発明は、プラズマトーチと分光部の入口スリット間の光路にプラズマの軸方向観察の第１光路と横方向観察の第２光路を有するＩＣＰ発光分析装置を用いて行うＩＣＰ発光分析方法において、プラズマの軸方向観察を行う場合は前記入口スリットにピンホール形状の第１スリットを使用してＩＣＰ発光分析を行い、プラズマの横方向観察を行う場合は前記入口スリットに直線形状の第２スリットを使用してＩＣＰ発光分析を行うことを特徴とするＩＣＰ発光分析方法である。
【００１８】
前記課題を解決するためになされた第５の発明は、第４の発明において、前記入口スリットに前記第２スリットを用いてプラズマの横方向観測を行う際に分光干渉が生じた場合、前記入口スリットを前記第２スリットから前記第１スリットへ切り換えてＩＣＰ発光分析を行うことを特徴とする発光分析方法である。
【発明の効果】
【００１９】
本発明によれば、ピンホール型スリットと直線型スリットを切り換えて使用することができるため、軸方向観測の場合はピンホール型スリットを用い、横方向観測の場合は直線型スリットを用いることが可能になる。軸方向観測の場合は、ピンホール型スリットを用いて、プラズマ発生方向の中心軸近傍の光をピンホールの領域に限定して、分光部へ導入することができるため、バックグラウンドの導入を防止することができる。一方、横方向観測の場合は、直線型スリットに切り換え、プラズマ発生方向の中心軸に対して直交する方向から、直線状に設けられたスリットの領域における中心軸近傍の光を分光部へ導入する。直線型スリットの方が、ピンホール型スリットと比べて、分光部へプラズマ光を導入することができる領域が広いため、より多くのプラズマ光を分光部へ導入することができ、横方向観測の精度があがる。以上のようにして、精度の高い発光分析を軸方向観測と横方向観測の両方向の観測において行うことができる。
【００２０】
さらに、直線型スリットを用いて横方向観察の発光分析をしていた場合に、光量が多いことに起因して分光干渉が発生した場合に、直線型スリットをピンホール型スリットに切り換えることにより、分光部に導入される光量が減少するため、分光干渉を防止することができる。
【図面の簡単な説明】
【００２１】
【図１】本発明のプラズマの軸方向観測時におけるICP発光分析装置の概略図である。
【図２】本発明のプラズマの横方向観測時におけるICP発光分析装置の概略図である。
【図３】本発明に用いるプラズマトーチと分光部の光路上に設置する入口スリットの概略図である。
【発明を実施するための形態】
【００２２】
以下、本発明に係るICP発光分析装置の実施形態について、図１と図２を用いて説明する。
【００２３】
図１は、本発明のプラズマの軸方向観測時におけるICP発光分析装置の概略図である。また、図２は、本発明のプラズマの横方向観測時におけるICP発光分析装置の概略図である。本発明のICP発光分析装置は、プラズマトーチ１１と分光部１との間に、第１光導入部３１及び第２光導入部３２を備えている。第１光導入部３１は、プラズマを軸方向観測したプラズマ１２の光を分光部１内に導入するための機構である。第２光導入部３２は、プラズマを軸に対して鉛直方向に観測した横方向観測のプラズマ光を分光部１内に導入するための機構である。それぞれの導入部３１ 、３２の内部には、プラズマ光を所定の方向に反射させるためのミラーが所定個数設けられ、プラズマ光を最終的に分光部１に導入するための第１光路２１（図１）又は第２光路３２（図２）が形成される。
【００２４】
また、プラズマ１２の観測方向は、厳密にプラズマ１２の軸方向又は横方向である必要はないことはもちろんであり、分析精度を向上させるために観測方向を自由に調節しても構わない。観測方向の調節は、各光導入部に対するプラズマトーチ１の角度を変化させることや、ミラーの角度を変えることによって行えばよい。
【００２５】
プラズマ１２から分光部１までの光路中には、横方向観測と軸方向観測を選択的に切り換えるための観測光選択手段としてミラー２、可動式ミラー３、ミラー４が設けられており、この可動式ミラー３を駆動部４１により動かすか、又はその角度を調節すること等により、分光部１に第１光路２１の光を導入するか等の方法により、又は第２光路２２の光を導入するかのいずれかを選択することができる。観測光選択手段は可動式ミラー３に限らず、いかなる機構や手段を利用しても構わない。なお、光路は、図１に示す軸方向観測の場合は、軸方向観測の光路を第１光路として実線で表し、横方向観測の光路は破線で表している。一方、図２に示す横方向観測の場合は、横方向観測の光路を第２光路２２として実線で表し、軸方向観測の光路は破線で表している。
【００２６】
また、プラズマトーチ１１と分光部１の間の光路上には、分光部の入口スリットが設けられている。この入口スリットは、ピンホール型スリット１３又は直線型スリット１４のいずれを用いるか選択することが可能である。入口スリットの選択は、駆動部４２を設けていずれの形状のスリットを用いるか選択してもよいし、ユーザが手動で着脱してもよい。
【００２７】
図１に示すように、軸方向観測を行う場合は、入口スリットにピンホール型スリット１３を使用する。プラズマの軸方向観測を行う場合は、軸方向のプラズマはドーナツ構造をしており、プラズマの発生方向の中心軸の近傍に導入された試料は、温度の低い中心軸の近傍に効率よく導入されるため、効率よく発光する。試料はプラズマの中心軸の近傍に多く存在し、主に中心軸の近傍で分析に用いられるプラズマが発光する。一方、中心軸の周囲の温度の高い部分からは、プラズマガスからの発光があり、分析時のバックグラウンドとなる。よって、軸方向観測を行う場合は、中心軸近傍の光を取り込み、中心軸周囲の光は取り込まないことが望ましい。よって、軸方向観測を行う場合に用いるスリットの形状は、中心軸近傍の光を取り込み、中心軸周囲の光は取り込まない大きさの形状にすることが望ましい。具体的には、本発明に用いるプラズマトーチと分光部の光路上に設置する入口スリットの概略図である図３の(a) に示すように直径が数十μ程度のピンホール型スリットを用いる。ただし、かかるスリットの形状は、中心軸近傍の光を取り込み、中心軸周囲の光は取り込まない大きさの形状であれば、円形であっても、四角形等であっても構わない。
【００２８】
また、図２に示すように、プラズマの横方向観察をする場合は、プラズマの軸方向に対して垂直方向に設置された第２光導入部３２を通り、ミラー４を通る第２光路２２により、分光部１へ光が導入される。この場合、可動式ミラー３は、光路上に設けられていない。そして、横方向観察に用いる入口スリットには、直線型スリット１４を使用する。横方向観測の場合、得られるプラズマ光は、プラズマ発生方向の中心軸に対して直交する方向のプラズマ光であるため、多くの領域から中心軸のプラズマ光を得る必要がある。そこで、スリットの高さを高くした直線型スリット１４を使用し、直線状に設けられたスリットの領域における中心軸近傍の光を分光部へ導入する。具体的に、直線型スリット１４は、図３（b）に示すように、幅が数10μmに対して、高さが数mm程度のスリットを用いるが、横方向分析を行う場合に必要な光量を確保できる幅と高さであれば、適宜変更をなし得る。
【００２９】
本発明は、プラズマトーチ１１と分光部１の間の入口スリットを、軸方向観測時の場合はピンホール型スリット１３を用い、横方向観測をする場合は直線型スリット１４を使用することになる。入口スリットにいずれのスリットを用いるかの選択は、両スリットに接続された駆動部４２が、軸方向観測時の場合はピンホール型スリット１３をプラズマトーチ１１と分光部１の間の光路上に設置し、横方向観測をする場合は直線型スリット１４をかかる光路上に設置することにより行えばよい。また、軸方向観測時又は横方向観測を切り換える際に、可動式ミラー３等の光路選択手段が切り替わる際に、連動して自動的に切り換え可能なものとしてもよい。後者の場合は、光路の切り換え時に連動して使用するスリットの形状も切り替わるため、これまでと同じ操作や所要時間で、精度の高い分析が可能になる。そして、自動で行わない場合でも、ユーザが手動により、軸方向観測を行う場合はピンホール型スリット１３を入口スリット取り付け部（図示しない）に取り付け、横方向観測を行う場合は、入口スリット取り付け部からピンホール型スリット１３を外し、直線型スリット１４を取り付けることによって行ってもよい。
【００３０】
また、本発明におけるICP発光分析装置は、軸方向観測時又は横方向観測以外のタイミングで、ピンホール型スリット１３と直線型スリット１４を切り換えることも可能である。具体的には、直線型スリット１４を用いて発光分析をしていた場合に、光量が多いことに起因して分光干渉が発生した場合に、ピンホール型スリット１３に切り換えれば、分光部に導入される光量が減少するため、分光干渉を防止することができる。例えば、エシェル型分光器を備えたICP発光分析装置は、短波長域は分解能がよいため、分光干渉が生じる心配は殆どないが、分解能が悪い長波長域においては、スリットの高さ方向の分光干渉が発生することがある。本発明では、横方向観測を行う場合、入口スリットに直線型スリット１４を用いて観測を行う旨をこれまで説明してきたが、エシェル型分光器を備えたICP発光分析装置を使用して横方向観測を行う場合に、長波長領域で分光干渉が生じた場合は、入口スリットを直線型スリット１４からピンホール型スリット１３に変更すれば、分光干渉を防ぐことができる。
【００３１】
この場合、分光干渉量に応じて自動的に駆動部４２を駆動させて、直線型スリット１４からピンホール型スリット１３へ切り換えるとよい。また、ユーザが実際に分析をしながら分光干渉量に応じて任意で切り換えてもよい。ユーザが任意で切り換える際は、ボタンを押す等によって駆動部４２を駆動させて、入口スリットを切り換えてもよいし、ユーザの手によって入口スリットを着脱することで変更してもよい。
【００３２】
このようにして、プラズマの軸方向観測又は横方向観測というパラメータにより、入口スリットをピンホール型又は直線型に切り換えると共に、直線型スリットを用いて横方向観察を行っていた場合に分光干渉が発生した場合は、ピンホール型スリットに切り換えることを組み合わせることにより、より精度の高い分析が可能になる。
【符号の説明】
【００３３】
１  分光部
２  ミラー
３  可動式ミラー
４  ミラー
１１  プラズマトーチ
１２  プラズマ
１３  ピンホール型スリット
１４  直線型スリット
２１  第１光路
２２  第２光路
３１  第１光導入部
３２  第２光導入部
４１  駆動部
４２  駆動部
【図１】
2010243348.tif 000003
【図２】
2010243348.tif 000004
【図３】
2010243348.tif 000005